(57)【特許請求の範囲】
【請求項１】
使用者の手で持つための柄部が備えられ、この柄部の先端にガードボード部が設けられることで柄部およびガードボード部をほぼＴ字形に形成してあるガードボード部に刃部が取付けられた眉そり用剃刀において、
前記柄部がグリップ部と首部とで構成され、この首部がグリップ部より細く形成されるとともに側面から見て湾曲状に形成され、かつ前記ガードボード部の幅が眉毛と目との間隔より狭く設定され、前記柄部に対するガードボード部の取付け角度θが、６０〜７０度に設定され、前記グリップ部は、先端から後端に向けて徐々にグリップ幅が広くなるように形成されるとともに、先端から後端に向けて徐々にグリップ高さが低くなるように形成され、前記グリップ部の内部に空間が形成され、前記グリップ部の側部は、上端から下端にかけて湾曲状に形成され、前記首部の半径Ｒが６０〜７０ｍｍに設定され、前記首部の内側の幅を外側の幅より小さく形成し、ガードボード部を眉毛に直交させて眉毛と目との間に配置し、この状態で眉に沿わせながら眉毛を剃ることができ、眉毛を所望の形状に整えることができるようにしたことを特徴とする眉そり用剃刀。
【発明の詳細な説明】
【０００１】
【発明の属する技術分野】
本発明は眉そり用剃刀に係り、さらに詳しくは、眉毛を剃ることにより眉の形状を整えるための眉そり用剃刀に関する。
またこの剃刀は、剃刀のヘッド部が非常に小さいため、眉以外の部分、例えば小鼻のまわり、口のまわり、指先、生え際の剃り残し部分のお手入れにも使用できる（以下、使用例としては、眉を主として説明する）。
【０００２】
【従来の技術】
従来、女性の眉を魅力的に見せるために、眉毛を剃るための眉そり用剃刀が知られている。この眉そり用剃刀には、使用者が手で持つための柄部が備えられ、この柄の先端にガードボード部が設けられ、このガードボード部に剃刀の刃部が取付けられている。
【０００３】
この眉そり用剃刀を使用して眉毛を剃る際には、例えば右手で眉そり用剃刀の柄部を持ち、剃刀の刃部の位置を鏡で確認しながら刃部を眉毛に当て、ついで、鏡で剃刀の刃部や眉毛の位置を確認しながら、剃刀の刃部を正しく移動させて眉毛を剃るものであった。
【０００４】
【発明が解決しようとする課題】
しかしながら、従来の眉そり用剃刀は、柄部がある程度太く形成されているので、眉毛を剃る際に、眉毛が太めの柄部で隠されてしまい、剃刀の刃部の位置を確認することができないため、刃部を眉毛の所望位置に当てることが難しいという問題があった。
【０００５】
また、従来の眉そり用剃刀は、眉毛を剃る際に剃刀の刃部がガードボード部で隠されてしまい、前記と同様に剃刀の刃部の位置を鏡で確認することが難しいという問題があった。
このため、従来の眉そり用剃刀は使い勝手の点で改良の余地があり、これらの問題を解消した眉そり用剃刀の実用化が望まれていた。
【０００６】
この発明は、剃刀の刃部を眉毛の所望位置に容易に当てることができ、かつ剃刀の刃部の位置を鏡で容易に確認できるように剃刀を形成して、使い勝手のよい眉そり用剃刀を提供し、上述の全ての問題点を解消しようとするものである。
【０００７】
【課題を解決するための手段】
本発明の上記目的を達成するために、請求項１は、使用者の手で持つための柄部が備えられ、この柄部の先端にガードボード部が設けられることで柄部およびガードボード部をほぼＴ字形に形成してあるガードボード部に刃部が取付けられた眉そり用剃刀において、
前記柄部がグリップ部と首部とで構成され、この首部がグリップ部より細く形成されるとともに側面から見て湾曲状に形成され、かつ前記ガードボード部の幅が眉毛と目との間隔より狭く設定され、前記柄部に対するガードボード部の取付け角度θが、６０〜７０度に設定され、前記グリップ部は、先端から後端に向けて徐々にグリップ幅が広くなるように形成されるとともに、先端から後端に向けて徐々にグリップ高さが低くなるように形成され、前記グリップ部の内部に空間が形成され、前記グリップ部の側部は、上端から下端にかけて湾曲状に形成され、前記首部の半径Ｒが６０〜７０ｍｍに設定され、前記首部の内側の幅を外側の幅より小さく形成し、ガードボード部を眉毛に直交させて眉毛と目との間に配置し、この状態で眉に沿わせながら眉毛を剃ることができ、眉毛を所望の形状に整えることができるようにしたことを特徴とする。
【０００８】
上記した本発明に係る眉そり用剃刀は、首部がグリップ部より細く形成されているため、鏡を見ながら眉毛を剃る際に、首部が邪魔になって眉毛を見ることを妨げられるということがなく、剃刀の刃部を眉毛の所望位置に容易に当てることができることとなる。
【０００９】
さらに、眉そり用剃刀は首部が湾曲状に形成されているため、鏡を見ながら眉毛を剃る際に、剃刀の刃部がガードボード部で隠されることがないから、剃刀の刃部の位置を鏡で容易に確認することができるようになる。
【００１０】
加えて、眉そり用剃刀はガードボード部の幅が眉毛と目との間隔より狭く設定されているため、ガードボード部を眉毛に直交させて眉毛と目との間に配置し、この状態で眉に沿わせながら眉毛を剃ることができ、眉毛を所望の形状に比較的簡単に整えることができるようになる。
【００１１】
また首部の半径Ｒが６０ｍｍより小さいと、首部が湾曲状に曲り過ぎて眉そり用剃刀の使い勝手を良好に確保することが難しく、一方、首部の半径Ｒが７０ｍｍより大きいと、鏡を見ながら眉毛を剃る際に剃刀の刃部がガードボード部で隠されてしまう虞れがある。
【００１２】
ついで柄部に対するガードボード部の取付け角度θが６０度より小さいと、鏡を見ながら眉毛を剃る際に剃刀の刃部がガードボード部で隠されてしまう虞れがある。一方、柄部に対するガードボード部の取付け角度θが７０度より大きいと、ガードボード部が柄部に対して大きく傾き過ぎて、眉そり用剃刀の使い勝手を良好に確保することが難しくなる。
【００１３】
さらにグリップ部の先端の幅を小さくするとともに、先端の高さを高くすることで、使用者がグリップ部の先端を掴み易くなり、またグリップ部の後端の幅を大きくするとともに、後端高さを低くすることで、グリップ部の先端を手で掴みながらグリップ部の後端を掌で押さえる際に、グリップ部が掌にソフトな感じで当たるので使い勝手をよくすることができる。
加えて、グリップ部の先端の高さを高くすることで、先端の側部に文字や模様を配置できるエリアを広く確保することができるようになる。
【００１４】
またグリップ部の内部に空間を形成することで、グリップ部の軽量化を図ることができ、またグリップ部の内部に空間を形成することで、樹脂などの素材の使用量を抑えることもできる。
【００１５】
ついでグリップ部の側部を、上端から下端にかけて半径５０ｍｍの湾曲状に形成したため、剃刀を持った際に、指の収まりが大変良くなり、ついで首部の内側の幅を外側の幅より小さく形成したので、眉毛を剃る際に、首部が眉毛を見る際の邪魔にならない。
【００１６】
【発明の実施の形態】
以下添付図に基づいて本発明に係る眉そり用剃刀の一実施の形態を詳説する。  図１は本発明に係る眉そり用剃刀の斜視図、図２は同平面図、図３は同側面図、図４は同底面図、図５は図１のＡ−Ａ線断面図である。
【００１７】
図１に示す眉そり用剃刀１０には、使用者の手で持つための柄部１２が備えられ、この柄部１２の先端にはガードボード部２０が設けられ、これにより柄部１２およびガードボード部２０でほぼＴ字形を形成し、さらにこのガードボード部２０には刃部２２が取付けられる。
【００１８】
この眉そり用剃刀１０は、柄部１２がグリップ部１４と首部１８とで構成され、この首部１８の首部幅Ｗ１（図２も参照）がグリップ部１４より細くなるように、一例として３．４ｍｍに形成されるとともに湾曲状に形成されている。
【００１９】
このように、首部１８をグリップ部１４より細く形成することで、眉毛３０が首部１８で見ることを妨げられることがなくなる。さらに、首部１８を湾曲状に形成することにより、剃刀の刃部２２がガードボード部２０で隠されなくなる。この内容については、図６及び図７で詳しく説明する。
【００２０】
ここで、眉そり用剃刀１０は、ガードボード２０のボード幅Ｗ２が眉毛３０と目３４（図８参照）との間隔Ｓ１より狭くなるように、一例として１３ｍｍに設定される。
【００２１】
このように、ガードボード部２０のボード幅Ｗ２を眉毛３０と目３４との間隔Ｓ１より狭く設定することで、剃刀の刃部２２の刃幅Ｗ３を、一例として１１ｍｍに抑えて、間隔Ｓ１より狭くなるように設定している。
よって、ガードボード部２０を眉毛３０に直交させた状態で、眉毛３０と目３４との間に配置することができる。この内容については図８で詳しく説明する。
【００２２】
グリップ部１４は、先端１５から後端１６に向けてグリップ幅がＷ４からＷ５に徐々に広くなるように形成されている。さらに、グリップ部１４は、先端１５から後端１６に向けて、グリップ高さがＨ１からＨ２に徐々に低くなるように形成されている。
【００２３】
なお、グリップ部の先端幅Ｗ４は、一例として７ｍｍ、グリップ部の後端幅Ｗ５は、一例として１４ｍｍとした。
また、グリップ部の先端の高さＨ１は、一例として１３ｍｍ、グリップ部の後端の高さＨ２は、一例として３ｍｍとした。
【００２４】
このように、グリップ部１４の先端の幅をＷ４と小さくするとともに、先端の高さをＨ１と高くすることで、使用者がグリップ部１４の先端１５を掴み易くしている。
また、グリップ部１４の後端の幅をＷ５と大きくするとともに、後端の高さをＨ２と低くすることで、グリップ部１４の先端１５を手で掴みながらグリップ部１４の後端１６を掌で押さえる際に、グリップ部１４の後端１６が掌にソフトな感じで当たるようにしているので使い勝手がよくなる。
【００２５】
また、グリップ部１４の先端の高さをＨ１と高くすることで、先端１５の側部１５ａに文字や模様を加えるエリアを広く確保することができるので、眉そり用剃刀１０のデザインをより向上させることが可能になった。
【００２６】
また、グリップ部１４には、図４に示すように内部に空間１７ａ、１７ｂ、１７ｃが形成されており、これによりグリップ部１４の軽量化が図られ、眉そり用剃刀１０の使い勝手をより高めることができる。
【００２７】
さらに、グリップ部１４の内部に空間１７ａ、１７ｂ、１７ｃを形成することで、樹脂などの素材の使用量を抑えることができ、これにより眉そり用剃刀１０の製造コストを抑えることも可能となる。
【００２８】
首部１８は、図３に示すように半径Ｒが、６０〜７０ｍｍになるように湾曲状に形成されている。
首部１８の半径Ｒが６０ｍｍより小さいと、首部１８が湾曲状に曲り過ぎて眉そり用剃刀１０の使い勝手を良好に確保することが難しく、一方、首部１８の半径Ｒが７０ｍｍより大きいと、鏡３２を見ながら眉毛３０を剃る際に、剃刀の刃部２２の位置がガードボード部２０で隠されてしまう虞れがある。
従って、湾曲状の首部１８の半径Ｒを６０〜７０ｍｍに設定して、使い勝手を良好に保つとともに、剃刀の刃部２２がガードボード部２０で隠されないようにした。
【００２９】
ガードボード部２０は、図３に示すように、柄部１２のグリップ部１４に対して取付け角度θが６０〜７０度になるように取付けられている。
グリップ部１４に対するガードボード部２０の取付け角度θが６０度より小さいと、鏡３２を見ながら眉毛３０を剃る際に剃刀の刃部２２の位置がガードボード部２０で隠されてしまう虞れがある。
【００３０】
一方、グリップ部１４に対するガードボード部２０の取付け角度θが７０度より大きいと、ガードボード部２０がグリップ部１４に対して傾き過ぎてしまうため、眉そり用剃刀１０の使い勝手を良好に確保することが難しくなる。
【００３１】
従って、グリップ部１４に対するガードボード部２０の取付け角度θを６０〜７０度に設定して、剃刀の刃部２２がガードボード部２０で隠されないようにするとともに、使い勝手を良好に保つようにした。
【００３２】
さらに、図５に示すように、首部１８の内側の幅Ｗ６を外側の幅Ｗ４より小さく形成したので、眉毛３０を剃る際に、首部１８が眉毛３０を見ることをさらに妨げないようにしている。
加えて、グリップ部１４の側部１５ａを僅かに内側に凹ませ、その湾曲部の半径を５０ｍｍに形成したので、指の収まりが良くなってグリップ部１４が掴みやすくなり、眉そり用剃刀１０の使い勝手をさらに高めることができる。
【００３３】
つぎに、本発明に係る眉そり用剃刀１０の作用について図６〜図８に基づいて説明する。
図６に示すように鏡を見ながら眉毛３０を剃る際に、首部１８がグリップ部１４より細く形成されているので、首部１８が眉毛３０を見ることを妨げる虞れはなく、図１に示す剃刀の刃部２２を眉毛３０の所望位置に容易に当てることができるようになる。
【００３４】
また、図７に示すように、本発明は首部１８を、半径Ｒ６０〜７０ｍｍ（図３参照）になるように湾曲状に形成し、ガードボード部２０を柄部１２のグリップ部１４に対して取付け角度θが６０〜７０度（図３参照）になるように取付けている。
【００３５】
よって、鏡３２を見ながら眉毛３０を剃る際に、剃刀の刃部２２をガードボード部２０より間隔Ｓ２だけ下方に下げることができるので、剃刀の刃部２２をガードボード部２０で隠されないようにして、剃刀の刃部２２の位置を鏡３２で容易に確認することができるようになる。
【００３６】
さらに、図８に示すように、ガードボード部２０のボード幅Ｗ２を眉毛３０と目３４との間隔Ｓ１より狭く設定したので、ガードボード部２０を眉毛３０に直交させて眉毛３０と目３４との間に配置し、この状態で眉３０に沿わせながら剃刀の刃部２２（図１参照）で眉毛３０を剃ることができ、眉毛３０を所望の形状に比較的簡単に整えることができるようになる。
【００３７】
【発明の効果】
以上述べたように、請求項１による眉そり用剃刀によれば、首部がグリップ部より細く形成されているため、鏡を見ながら眉毛を剃る際に、首部が眉毛を見ることを妨げる虞れがない。このため、剃刀の刃部を眉毛の所望位置に容易に当てることができるようになる。
【００３８】
さらに、眉そり用剃刀は首部が湾曲状に形成されているため、鏡を見ながら眉毛を剃る際に、剃刀の刃部がガードボード部で隠されず、剃刀の刃部の位置を鏡で容易に確認することができるようになる。
【００３９】
また、眉そり用剃刀はガードボード部の幅が眉毛と目との間隔より狭く設定されているため、ガードボード部を眉毛に直交させて眉毛と目との間に配置し、この状態で眉に沿わせながら眉毛を剃ることができるので、眉毛を所望の形状に比較的簡単に整えることができるようになる。
【００４０】
このように、首部をグリップ部より細く形成するとともに湾曲状に形成し、かつガードボード部の幅を眉毛と目との間隔より狭く設定することで、使い勝手のよい眉そり用剃刀を提供することができるようになる。
【００４１】
首部の半径Ｒが６０ｍｍより小さいと、首部が湾曲状に曲り過ぎて眉そり用剃刀の使い勝手を良好にすることが難しいく、一方、首部の半径Ｒが７０ｍｍより大きいと、鏡を見ながら眉毛を剃る際に剃刀の刃部がガードボード部で隠されてしまう虞れがあるが、湾曲状の首部の半径Ｒを６０〜７０ｍｍに設定して、使い勝手を良好に保つとともに、剃刀の刃部がガードボード部で隠されないようになる。
【００４２】
柄部に対するガードボード部の取付け角度θが６０度より小さいと、鏡を見ながら眉毛を剃る際に、剃刀の刃部がガードボード部で隠されてしまう虞れがあり、  一方、柄部に対するガードボード部の取付け角度θが７０度より大きいと、ガードボード部が柄部に対して大きく傾き過ぎて眉そり用剃刀の使い勝手を良好にすることが難しくなるが、柄部に対するガードボード部の取付け角度θを６０〜７０度に設定したため、剃刀の刃部がガードボード部で隠されないようになり、使い勝手を良好に保てるようにしている。
【００４３】
さらにグリップ部の先端の幅を小さくするとともに、先端の高さを高くすることで、使用者がグリップ部の先端を掴み易くすることができ、またグリップ部の後端の幅を大きくするとともに、後端の高さを低くすることで、グリップ部の先端を手で掴みながらグリップ部の後端を掌で押さえる際に、掌にソフトな感じで当たるようになり、使い勝手をよくすることができる。
【００４４】
また、グリップ部の先端の高さを高くすることで、先端の側部に文字や模様を配置するエリアを広く確保することができ、眉そり用剃刀のデザインをより向上させることが可能になる。
【００４５】
またグリップ部の内部に空間を形成することで、グリップ部の軽量化を図ることができ、眉そり用剃刀の使い勝手をより高めることができる。
さらに、グリップ部の内部に空間を形成することで、樹脂などの素材の使用量を抑えることもでき、眉そり用剃刀の製造コストを抑えることができる。
【００４６】
ついでグリップ部の側部は、上端から下端にかけて湾曲状に形成され、この湾曲部の半径Ｒを５０ｍｍに設定したので、剃刀を持った際に、指の収まりが大変良くなるという効果があり、ついで首部の内側の幅を外側の幅より小さく形成したので、眉毛を剃る際に、首部が眉毛を見る際の邪魔にならないという効果がある。
【図面の簡単な説明】
【図１】  本発明に係る眉そり用剃刀の斜視図である。
【図２】  本発明に係る眉そり用剃刀の平面図である。
【図３】  本発明に係る眉そり用剃刀の側面図である。
【図４】  本発明に係る眉そり用剃刀の底面図である。
【図５】  図１のＡ−Ａ線断面図である。
【図６】  本発明に係る眉そり用剃刀の作用を説明した図である。
【図７】  本発明に係る眉そり用剃刀の作用を説明した図である。
【図８】  本発明に係る眉そり用剃刀の作用を説明した図である。
【符号の説明】
１０…眉そり用剃刀
１２…柄部
１４…グリップ部
１５…グリップ部の先端
１５ａ…グリップ部の側部
１６…グリップ部の後端
１７ａ、１７ｂ、１７ｃ…グリップ部の空間
１８…首部
２０…ガードボード部
２２…剃刀の刃部
３０…眉毛
３２…鏡
３４…目
Ｈ１…グリップ部の先端高さ
Ｈ２…グリップ部の後端高さ
Ｒ…湾曲状の首部の半径
Ｓ１…眉毛と目との間隔
Ｓ２…下げ間隔
Ｗ１…首部幅
Ｗ２…ボード幅
Ｗ３…刃幅
Ｗ４…グリップ部の先端幅
Ｗ５…グリップ部の後端幅
θ…柄部に対するガードボード部の取付け角度
【図１】
0003913975.tif 000002
【図２】
0003913975.tif 000003
【図３】
0003913975.tif 000004
【図４】
0003913975.tif 000005
【図５】
0003913975.tif 000006
【図６】
0003913975.tif 000007
【図７】
0003913975.tif 000008
【図８】
0003913975.tif 000009